(57)【要約】【課題】普段の生活の中で身に着けている道具と秤が兼用できたり、旅行鞄や手提げ袋に取り付けることができて、いつでも何処でも電気を使わずに、被計量物を運ぶための料金を決めるために定められている重さより、軽いか、重いかを計ることが出来る秤を提供する。【解決手段】 弾性体で形成した周囲１００ｍｍから２５０ｍｍの帯状リングであって該リングを取手又は締結した紐を有する被計量物に結んで持ち上げて、定められた重さより、軽いか、重いかを測定するために、前記リングで定められた重さを持ち上げた時に帯状のリングと一緒に弾性変形して、定められた重さより軽いか、重いかを測定する指標となる図形やキャラクターやロゴに変形するマークを設けたことを特徴とする秤兼用の帯状リングとする。【選択図】 図３
2016031343.tif 000002
【特許請求の範囲】
【請求項１】
弾性体で形成した周囲１００ｍｍから２５０ｍｍの帯状リングであって該リングを取手又は締結した紐を有する被計量物に結んで持ち上げて、定められた重さより、軽いか、重いかを測定するために、前記リングで定められた重さを持ち上げた時に帯状のリングと一緒に弾性変形して、定められた重さより軽いか、重いかを測定する指標となる図形やキャラクターやロゴに変形するマークを設けたことを特徴とする秤兼用の帯状リング。
【請求項２】
請求項１の帯状リングにおいて、被計量物を持ち上げて、定められた重さより、軽いか、重いかを測定する時の判定基準となる形状のマークを設けたことを特徴とする秤兼用の帯状リング。
【発明の詳細な説明】
【技術分野】
【０００１】
本発明は秤に係り、帯状リングを用いて被計量物の重さが、定められた重さより、軽いか、重いかを、人が視覚でモノを認識するとき目から読み取ったモノの形といった情報が、脳で自分の持つ記憶や知識との対比とともに処理されることを利用して測定する秤に関する。 
【背景技術】
【０００２】
旅行に行く時や帰宅時に荷造りをした旅行鞄を飛行機の機内に手荷物として持ち込めるのか、また、いろいろな所でいくつも買ったお土産の入った手提げ袋を宅急便で送る時の送料はいくらなのか、旅行の荷造りをするときに、いろいろな規定の重さに収まっているかどうかを知るためには本来旅行には必要がない秤を旅行鞄に入れて持ち歩いたり、計りたい時には荷物の詰め込んである旅行鞄から取り出さないと使えなかったり、秤の電池が切れて計れないことがある。
【発明の概要】
【０００３】
普段の生活の中で身に着けている道具と秤が兼用できたり、旅行鞄や手提げ袋に取り付けることができて、いつでも何処でも電気を使わずに、被計量物を運ぶための料金を決めるために定められている重さより、軽いか、重いかを計ることが出来る秤があればと考える。
【課題を解決するための手段】
【０００４】
帯状リングを弾性体であるゴム状の合成樹脂で形成し、人の手首や足首に通すことができ、鞄の取手又は締結した紐を有する被計量物に、帯状リングを結び付けられる大きさで、幅１０ｍｍから２５ｍｍ、厚さ１ｍｍから５ｍｍ、周囲１００ｍｍから２５０ｍｍで、帯状リングの形状は鞄の取手に結んだ時に結び目から指を入れられるようにリングが出て来る形状で円形でも８の字でもよく、帯状リングと一体でネームタグやICタグが設けられていてもよく、被計量物を飛行機に持ち込む時に追加料金を支払わなくてもすむ重さや、被計量物を宅急便で送る時の送料を決めるために定められた重さに対して、軽いか、重いかを測定する秤である。弾性体である帯状リングを被計量物に結んで持ち上げた時に、帯状リングが径方向と帯方向に伸縮して、持ち上げるのを止めると弾性変形で元の形状に戻ることを利用して指標となるマークは定められた重さを持ち上げた時に、縦横の長さが同じ線対称か点対称の図形や、正多角形の図形や、漫画や、遊園地のキャラクターや、会社のロゴマークに見えるように成形時に帯上に刻印したり、成形後に印刷やレーザー加工をして、指標となるマーク同士が接触しない位置で帯状リングの表側でも裏側でも両側でもよく最低１個から最高２４個を設ける。被計量物が定められた重さより、軽いか、重いかは指標となるマークを目視して人の記憶や知識によって、定められた指標となるマークよりリングの径方向に短ければ軽く、長ければ重いと判断する。また重さの測定精度を上げるためには定められた重さより軽いか、重いかの指標の基準となるマークを帯状リングに設けて、被計量物を持ち上げた時に重さの指標となるマークと比較しやすくする。
【発明の効果】
【０００５】
請求項１記載の発明の帯状リングによれば、秤を手首や足首や鞄の取手又は締結した紐を有する被計量物に装着でき、帯状リングだけで複雑な部品や電気を使わずに被計量物を飛行機に持ち込む時や、宅急便で送料を決めるために定められている重さより、軽いか、重いかを測定することができる。
【図面の簡単な説明】
【０００６】
【図１】本発明の実施形態に係る帯状リングを手首に装着した斜視図
【図２】同帯状リングで正方形を指標に示す斜視図
【図３】同帯状リングで３種類の重さの指標を示す斜視図
【図４】同帯状リングで３種類の重さの指標を３０°間隔で印刷した斜視図
【図５】同帯状リングを使って鞄を片方の指で測定している斜視図
【図６】同帯状リングを鞄の取手に結び付ける斜視図
【図７】同帯状リングを鞄の取手に結び付ける斜視図
【図８】同帯状リングを鞄の取手に結び付けた斜視図
【図９】同帯状リングを使って両指２本で鞄を測定している斜視図
【図１０】同帯状リングを使って両指２本で鞄を測定している上面図
【図１１】本発明の実施形態に係る帯状リングを８の字に一体で成形した斜視図
【図１２】本発明の実施形態に係る帯状リングにネームタグを一体で成形した斜視図
【発明を実施するための形態】
【０００７】
弾性体で帯状のリングを使って被計量物を持ち上げたときに、定められた重さより、軽いか、重いかの指標を設ける。
【実施例】
【０００８】
幅１５ｍｍ、厚さ２ｍｍ、周囲１８０ｍｍの図１における帯状リング１をシリコンゴムを使って３枚金型で射出成形して、宅急便の料金規定で定められている重さ１ｋｇの計量物を持ち上げたときに帯状リング１が伸縮して正方形に見えるように変形させた状態を成形時に刻印して指標となるマーク２を設けた帯状リングとした。
本実施例の帯状リング１において、宅急便の料金規定で定められている重量１ｋｇ、２ｋｇ、５ｋｇの３種類の計量物を、それぞれ持ち上げたときに帯状リング１が変形して正方形に見えるように指標となる３つのマーク２を設けた帯状リングとした。
【０００９】
図３における本実施例の帯状リング１において、重量の違いに合わせて変形させて設けた３つのマーク２を帯上に１ｋｇ、２ｋｇ、５ｋｇの順番で３０°間隔でリングの周囲に並べて帯状リング１の裏側に指標の基準となる３つのマーク３を設けた帯状リングとした。
【００１０】
図４における本実施例の帯上リング１において、重量の違いに合わせて変形させて設けた３つのマーク２をリングの帯上に１ｋｇ、２ｋｇ、５ｋｇの順番で３０°間隔で帯上リング１の周囲に並べて設けて、その裏側に宅急便の規定重量と変形させた３つの図形を合わせて印刷した帯状リングとした。
【００１１】
幅２０ｍｍ、厚さ３ｍｍ、周囲２００ｍｍの大きさにシリコンゴムを使って３枚金型で射出成形した帯上リング１に重さを測定する指標となる形状に漫画で使われているキャラクターを用いて、定められた重さの計量物を持ち上げた時に前記キャラクターに見えるように変形させたマークと、変形されていないマークの２つをリストバンドの帯上に並べて印刷をした帯状リングとすることができる。
【００１２】
図１１に示す本実施例の帯上リング１において、指を掛ける事ができる大きさの帯状リング１aを一体で８の字に成形し、該帯上リング1aに重さを測定する時の指標となるマークを設けた帯状リングとした。
【００１３】
図１２に示す本実施例の帯上リング1において、鞄の取手に結んだ時に結び目が緩むのを防止する位置と大きさにネームタグ７を一体で設けた帯状リングとした。
【産業上の利用可能性】
【００１４】
弾力を有した環状部材から成り、径方向に拡張して装着者の手首や鞄の取手に装着可能な帯上リングに秤の機能を付与させたもので、人は普段余り荷物の重さを把握することがなく、秤を常に身体や鞄に装着できるようにすることで荷物の重さを減らそうとする意識が働き環境負荷を減らすことができる。
【符号の説明】
【００１５】
１、帯状リング本体
１a、帯状リング
２、 マーク（重さの指標）
３、 マーク（指標の基準）
４、 取手
５、 被計量物（鞄）
６、 手
７、 ネームタグ
【図１】
2016031343.tif 000003
【図２】
2016031343.tif 000004
【図３】
2016031343.tif 000005
【図４】
2016031343.tif 000006
【図５】
2016031343.tif 000007
【図６】
2016031343.tif 000008
【図７】
2016031343.tif 000009
【図８】
2016031343.tif 000010
【図９】
2016031343.tif 000011
【図１０】
2016031343.tif 000012
【図１１】
2016031343.tif 000013
【図１２】
2016031343.tif 000014